(57)【特許請求の範囲】
【請求項１】
筐体に内蔵された電池セルと、
ＳＩＭ（Ｓｕｂｓｃｒｉｂｅｒ  Ｉｄｅｎｔｉｔｙ  Ｍｏｄｕｌｅ）を着脱可能に保持するコネクタ部と、
位置を取得するバッテリ位置取得部と、
前記ＳＩＭに記録されている情報を用いた無線通信により、前記電池セルの電池残量と、前記位置を示す位置情報とを送信する無線通信部と
を有する自律的に移動可能なバッテリと、
前記バッテリから前記電池残量及び前記位置を受信するバッテリ情報受信部と、
変電所の位置を取得する変電所位置取得部と、
複数の前記バッテリのうち、前記変電所に対して電力供給可能なバッテリに、前記変電所位置取得部が取得した位置への移動指示を送信する移動指示送信部と、
前記変電所の規格電圧を取得する規格電圧取得部と
を有するバッテリ制御装置と
を備え、
前記移動指示送信部は、前記複数のバッテリのうち、規格電圧が、前記規格電圧取得部が取得した前記規格電圧と一致するバッテリに、前記変電所位置取得部が取得した位置への移動指示を送信する、バッテリ制御システム。
【請求項２】
前記バッテリは、前記電池セルを、他のバッテリの電池セルと連結するコネクタをさらに有し、
前記移動指示送信部は、連結することによって、前記規格電圧取得部が取得した前記規格電圧の電力を供給可能な複数の前記バッテリに、前記変電所位置取得部が取得した位置への移動指示を送信する、請求項１に記載のバッテリ制御システム。
【請求項３】
前記バッテリは、前記電池セルの電力を供給する電力供給プラグをさらに有し、
前記変電所は、前記電力供給プラグと連結して、前記電池セルの電力の供給を受け付ける充電用プラグを有し、
前記移動指示送信部は、前記バッテリに、前記電力供給プラグによる前記充電用プラグへの電力の供給を指示する、請求項１又は２に記載のバッテリ制御システム。
【請求項４】
前記バッテリは、放射線を測定する放射線測定部をさらに有し、
前記バッテリ情報受信部は、前記放射線測定部によって測定された放射線の量と、前記放射線を測定した前記バッテリの位置情報とを、前記バッテリから受信し、
前記バッテリ制御装置は、前記バッテリ情報受信部が受信した前記放射線の量及び前記位置情報を他の装置に送信する放射線情報送信部をさらに有する、請求項１から３のいずれか一項に記載のバッテリ制御システム。
【請求項５】
筐体に内蔵された電池セルと、ＳＩＭ（Ｓｕｂｓｃｒｉｂｅｒ  Ｉｄｅｎｔｉｔｙ  Ｍｏｄｕｌｅ）を着脱可能に保持するコネクタ部と、位置を取得するバッテリ位置取得部と、前記ＳＩＭに記録されている情報を用いた無線通信により、前記電池セルの電池残量と、前記位置を示す位置情報とを送信する無線通信部を有し、自律的に移動可能なバッテリから、前記電池セルの電池残量及び前記位置を受信するバッテリ情報受信部と、
変電所の位置を取得する変電所位置取得部と、
複数の前記バッテリのうち、前記変電所に対して電力供給可能なバッテリに、前記変電所位置取得部が取得した位置への移動指示を送信する移動指示送信部と、
前記変電所の規格電圧を取得する規格電圧取得部と
を備え、
前記移動指示送信部は、前記複数のバッテリのうち、規格電圧が、前記規格電圧取得部が取得した前記規格電圧と一致するバッテリに、前記変電所位置取得部が取得した位置への移動指示を送信する、バッテリ制御装置。
【請求項６】
コンピュータを、請求項５に記載のバッテリ制御装置として機能させるためのプログラム。
【発明の詳細な説明】
【技術分野】
【０００１】
本発明は、バッテリ制御システム、バッテリ制御装置及びプログラムに関する。
【背景技術】
【０００２】
電気自動車等に搭載されるバッテリ（例えば、特許文献１参照）の重要性が高まっている。
［先行技術文献］
［特許文献］
［特許文献１］特開２０１５−１４６１６２号公報
【発明の概要】
【発明が解決しようとする課題】
【０００３】
バッテリによる電力供給をシステマチックに実現できることが望ましい。
【課題を解決するための手段】
【０００４】
本発明の第１の態様によれば、筐体に内蔵された電池セルと、ＳＩＭ（Ｓｕｂｓｃｒｉｂｅｒ  Ｉｄｅｎｔｉｔｙ  Ｍｏｄｕｌｅ）を着脱可能に保持するコネクタ部と、位置を取得する位置取得部と、ＳＩＭに記録されている情報を用いた無線通信により、電池セルの電池残量と、位置を示す位置情報とを送信する無線通信部とを有するバッテリと、バッテリから、電池残量及び位置情報を受信するバッテリ情報受信部と、複数のバッテリの電池残量及び位置に基づいて、電力の需要状況を導出する需要状況導出部と、需要状況に基づいて、複数のバッテリのうち、自律的に移動可能なバッテリに移動指示を送信する移動指示送信部とを有するバッテリ制御装置とを備える、バッテリ制御システムが提供される。
【０００５】
上記自律的に移動可能なバッテリは、複数のバッテリが一体となって移動可能なバッテリであってよい。上記需要状況導出部は、電力の供給を必要とする位置を導出してよく、上記移動指示送信部は、上記自律的に移動可能なバッテリのうち、上記電池残量が予め定められた閾値より多いバッテリに、上記電力の供給を必要とする位置に移動する移動指示を送信してよい。上記需要状況導出部は、電力の供給が可能な位置を導出してよく、上記移動指示送信部は、上記自律的に移動可能なバッテリのうち、上記電池残量が予め定められた閾値より少ないバッテリに、上記電力の供給が可能な位置に移動する移動指示を送信してよい。上記バッテリ制御システムは、上記電池セルの電力を用いて移動する上記バッテリの第１の位置における電池残量及び第２の位置における電池残量に基づいて、上記電池セルの劣化度合を導出する劣化度合導出部をさらに備えてよく、上記移動指示送信部は、上記劣化度合が予め定められた閾値より高い上記バッテリに、上記電池セルの交換が可能な交換ステーションへ移動する移動指示を送信してよい。上記バッテリ制御装置は、変電所の位置を取得する変電所位置取得部をさらに有してよく、上記移動指示送信部は、複数の上記バッテリのうち、上記変電所に対して電力供給可能なバッテリに、上記変電所位置取得部が取得した位置への移動指示を送信してよい。
【０００６】
本発明の第２の態様によれば、筐体に内蔵された電池セルと、ＳＩＭを着脱可能に保持するコネクタ部と、位置を取得する位置取得部と、ＳＩＭに記録されている情報を用いた無線通信により、電池セルの電池残量と、位置を示す位置情報とを送信する無線通信部とを有するバッテリから、電池残量及び位置情報を受信するバッテリ情報受信部と、複数のバッテリの電池残量及び位置に基づいて、電力の需要状況を導出する需要状況導出部と、需要状況に基づいて、複数のバッテリのうち、自律的に移動可能なバッテリに移動指示を送信する移動指示送信部とを備えるバッテリ制御装置が提供される。
【０００７】
本発明の第３の態様によれば、コンピュータを、上記バッテリ制御装置として機能させるためのプログラムが提供される。
【０００８】
本発明の第４の態様によれば、筐体に内蔵された電池セルと、ＳＩＭを着脱可能に保持するコネクタ部と、位置を取得するバッテリ位置取得部と、ＳＩＭに記録されている情報を用いた無線通信により、電池セルの電池残量と、位置を示す位置情報とを送信する無線通信部とを有する自律的に移動可能なバッテリと、バッテリから電池残量及び位置を受信するバッテリ情報受信部と、障害の発生により電力供給が遮断された変電所の位置を取得する変電所位置取得部と、複数のバッテリのうち、変電所に対して電力供給可能なバッテリに、変電所位置取得部が取得した位置への移動指示を送信する移動指示送信部とを有するバッテリ制御装置とを備えるバッテリ制御システムが提供される。
【０００９】
上記バッテリ制御装置は、上記変電所の規格電圧を取得する規格電圧取得部をさらに有してよく、上記移動指示送信部は、上記複数のバッテリのうち、規格電圧が、上記規格電圧取得部が取得した上記規格電圧と一致するバッテリに、上記変電所位置取得部が取得した位置への移動指示を送信してよい。上記バッテリは、上記電池セルを、他のバッテリの電池セルと連結するコネクタをさらに有してよく、上記移動指示送信部は、連結することによって、上記規格電圧取得部が取得した上記規格電圧の電力を供給可能な複数の上記バッテリに、上記変電所位置取得部が取得した位置への移動指示を送信してよい。上記バッテリは、上記電池セルの電力を供給する電力供給プラグをさらに有してよく、上記変電所は、上記電力供給プラグと連結して、上記電池セルの電力の供給を受け付ける充電用プラグを有してよく、上記移動指示送信部は、上記バッテリに、上記電力供給プラグによる上記充電用プラグへの電力の供給を指示してよい。上記バッテリは、放射線を測定する放射線測定部をさらに有してよく、上記バッテリ情報受信部は、上記放射線測定部によって測定された放射線の量と、上記放射線を測定した上記バッテリの位置情報とを、上記バッテリから受信してよく、上記バッテリ制御装置は、上記バッテリ情報受信部が受信した上記放射線の量及び上記位置情報を他の装置に送信する放射線情報送信部をさらに有してよい。
【００１０】
本発明の第５の態様によれば、筐体に内蔵された電池セルと、ＳＩＭを着脱可能に保持するコネクタ部と、位置を取得するバッテリ位置取得部と、ＳＩＭに記録されている情報を用いた無線通信により、電池セルの電池残量と、位置を示す位置情報とを送信する無線通信部を有し、自律的に移動可能なバッテリから、電池セルの電池残量及び位置を受信するバッテリ情報受信部と、変電所の位置を取得する変電所位置取得部と、複数のバッテリのうち、変電所に対して電力供給可能なバッテリに、変電所位置取得部が取得した位置への移動指示を送信する移動指示送信部とを備えるバッテリ制御装置が提供される。
【００１１】
本発明の第６の態様によれば、コンピュータを、上記バッテリ制御装置として機能させるためのプログラムが提供される。
【００１２】
なお、上記の発明の概要は、本発明の必要な特徴の全てを列挙したものではない。また、これらの特徴群のサブコンビネーションもまた、発明となりうる。
【図面の簡単な説明】
【００１３】
【図１】バッテリ１００の一例を概略的に示す。
【図２】通信ユニット１２０の機能構成の一例を概略的に示す。
【図３】バッテリ１００を搭載した電気自動車３００の一例を概略的に示す。
【図４】表示データ４００の一例を概略的に示す。
【図５】バッテリ１００の他の一例を概略的に示す。
【図６】バッテリ制御システム６００の一例を概略的に示す。
【図７】情報管理サーバ５００の機能構成の一例を概略的に示す。
【図８】バッテリ制御システム７００の一例を概略的に示す。
【図９】情報管理サーバ５００の機能構成の一例を概略的に示す。
【図１０】情報管理サーバ５００として機能するコンピュータ１０００の一例を概略的に示す。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、バッテリ１００の一例を概略的に示す。本実施形態に係るバッテリ１００は、任意の装置に電力を供給してよい。例えば、バッテリ１００は、電気自動車に搭載されて、電気自動車に電力を供給する。バッテリ１００は、電動バイク、電動自転車及びドローン等に搭載されて、これらに電力を供給してもよい。また、バッテリ１００は、例えば、ロボットに搭載されて、ロボットに電力を供給する。
【００１６】
バッテリ１００は、電池セル１１０及び通信ユニット１２０を備える。通信ユニット１２０は、コネクタ部１２２、無線通信部１２４、及び位置取得部１２６を有する。
【００１７】
コネクタ部１２２は、ＳＩＭ（Ｓｕｂｓｃｒｉｂｅｒ  Ｉｄｅｎｔｉｔｙ  Ｍｏｄｕｌｅ）を着脱可能に保持する。コネクタ部１２２は、例えば、ＳＩＭカードを着脱可能に保持する。
【００１８】
無線通信部１２４は、コネクタ部１２２が保持するＳＩＭに記録されている情報を用いて無線通信を実行する。無線通信部１２４は、例えば、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）及びＣＤＭＡ２０００（Ｃｏｄｅ  Ｄｉｖｉｓｉｏｎ  Ｍｕｌｔｉｐｌｅ  Ａｃｃｅｓｓ  ２０００）等の、３Ｇ（３ｒｄ  Ｇｅｎｅｒａｔｉｏｎ）通信方式、ＬＴＥ（Ｌｏｎｇ  Ｔｅｒｍ  Ｅｖｏｌｕｔｉｏｎ）等の３．９Ｇ通信方式、及びＡｄｖａｎｃｅｄ  ＬＴＥ等の４Ｇ通信方式等のモバイル通信方式に従って無線通信を実行する。無線通信部１２４は、ＷｉＦｉ通信用のアンテナをさらに備えて、ＷｉＦｉ（登録商標）（Ｗｉｒｅｌｅｓｓ  Ｆｉｄｅｌｉｔｙ）通信を実行してもよい。
【００１９】
無線通信部１２４は、ネットワーク１０を介した通信を実行してよい。ネットワーク１０は、例えばインターネット及び電話網を含む。無線通信部１２４は、例えば、ネットワーク１０を介して、通信端末２１０及び情報管理サーバ５００等と通信する。
【００２０】
通信端末２１０は、通信可能な端末であればどのような端末であってもよく、例えば、スマートフォン等の携帯電話、タブレット端末、及びＰＣ（Ｐｅｒｓｏｎａｌ  Ｃｏｍｐｕｔｅｒ）等である。情報管理サーバ５００は、バッテリ１００によって送信された情報を管理する。また、情報管理サーバ５００は、バッテリ１００に送信する情報を管理してよい。
【００２１】
無線通信部１２４は、例えば、電池セル１１０の電池残量を送信する。無線通信部１２４は、電池セル１１０の電池残量を通信端末２１０に送信してよい。これにより、通信端末２１０の使用者に、バッテリ１００の電池残量を把握させることができる。また、無線通信部１２４は、電池セル１１０の電池残量を情報管理サーバ５００に送信してよい。これにより、情報管理サーバ５００によってバッテリ１００の電池残量を管理することができる。
【００２２】
位置取得部１２６は、バッテリ１００の位置を取得する。位置取得部１２６は、例えば、ＧＰＳ（Ｇｌｏｂａｌ  Ｐｏｓｉｔｉｏｎｉｎｇ  Ｓｙｓｔｅｍ）ユニットであり、バッテリ１００の位置として、ＧＰＳデータを取得する。位置取得部１２６は、無線通信部１２４がＷｉＦｉ通信を実行できる場合、無線通信部１２４が通信を確立しているＷｉＦｉアクセスポイントの位置を、バッテリ１００の位置として取得してもよい。位置取得部１２６は、無線通信部１２４が通信を確立しているＷｉＦｉアクセスポイントの位置と、ＧＰＳデータとの両方をバッテリ１００の位置として取得してもよい。
【００２３】
無線通信部１２４は、バッテリ１００の電池残量とともに、バッテリ１００の位置を示す位置情報を送信してよい。
【００２４】
無線通信部１２４は、例えば、バッテリ１００の電池残量及びバッテリ１００の位置情報を通信端末２１０に送信する。通信端末２１０は、例えば、バッテリ１００から受信したバッテリ１００の電池残量が予め定められた閾値よりも低い場合に、バッテリ１００の位置情報が示す位置から最も近い充電可能箇所の位置を使用者に通知する。充電可能箇所は、例えば、固定設置されている充電スタンドである。また、充電可能箇所は、バッテリ１００に対して充電を行える、自律的に移動可能な充電ステーションであってもよい。これにより、バッテリ１００の電池残量が少ない場合に、充電可能箇所の位置を使用者に把握させることができる。
【００２５】
また、無線通信部１２４は、例えば、バッテリ１００の電池残量及びバッテリ１００の位置情報を情報管理サーバ５００に送信する。情報管理サーバ５００は、例えば、バッテリ１００から受信したバッテリ１００の電池残量が予め定められた閾値よりも低い場合に、バッテリ１００の位置情報が示す位置から最も近い充電可能箇所の位置を通信端末２１０に送信する。通信端末２１０は、受信した充電可能箇所の位置を使用者に通知してよい。
【００２６】
無線通信部１２４は、バッテリ１００の電池残量が予め定められた閾値よりも低い場合に、バッテリ１００の位置を示す位置情報を送信してもよい。
【００２７】
無線通信部１２４は、例えば、バッテリ１００の電池残量が予め定められた閾値よりも低い場合に、バッテリ１００の位置情報を通信端末２１０に送信する。通信端末２１０は、例えば、バッテリ１００の位置情報が示す位置から最も近い充電可能箇所の位置を使用者に通知してよい。
【００２８】
また、無線通信部１２４は、例えば、バッテリ１００の電池残量が予め定められた閾値よりも低い場合に、バッテリ１００の位置情報を情報管理サーバ５００に送信する。情報管理サーバ５００は、例えば、バッテリ１００の位置情報が示す位置から最も近い充電可能箇所の位置を通信端末２１０に送信する。通信端末２１０は、受信した充電可能箇所の位置を使用者に通知してよい。また、情報管理サーバ５００は、例えば、バッテリ１００の位置情報が示す位置から最も近い充電可能箇所の位置をバッテリ１００に送信する。バッテリ１００は、情報管理サーバ５００から受信した充電可能箇所の位置を通知してよい。例えば、バッテリ１００が電気自動車に搭載されている場合、バッテリ１００は、電気自動車が備えるディスプレイに充電可能箇所の位置を表示させることによって、電気自動車の搭乗者に対して充電可能箇所の位置を通知してよい。
【００２９】
無線通信部１２４は、通信端末２１０からの要求に応じて、バッテリ１００の位置情報を通信端末２１０に送信してもよい。例えば、バッテリ１００が盗難された場合、通信端末２１０の使用者は、通信端末２１０を用いてバッテリ１００に要求を送信することによって、バッテリ１００の位置を確認することができる。
【００３０】
図２は、通信ユニット１２０の機能構成の一例を概略的に示す。通信ユニット１２０は、無線通信部１２４、位置取得部１２６、残量取得部１３４、通知データ出力部１３６、電池情報格納部１３８及び履歴格納部１４０を有する。なお、通信ユニット１２０がこれらのすべての構成を有することは必須とは限らない。例えば、無線通信部１２４及び電池情報格納部１３８の少なくともいずれかは、通信ユニット１２０が有さずに、バッテリ１００が備えてもよい。
【００３１】
残量取得部１３４は、電池セル１１０の電池残量を取得する。残量取得部１３４は、電池セル１１０の電池残量を定期的に取得してよい。
【００３２】
通知データ出力部１３６は、通知データを出力する。通知データ出力部１３６は、例えば、電池セル１１０の電池残量を通知する通知データを無線通信部１２４に送信させる。通知データ出力部１３６は、電池セル１１０の電池残量と、位置取得部１２６が取得したバッテリ１００の位置情報とを通知する通知データを無線通信部１２４に送信させてもよい。
【００３３】
また、通知データ出力部１３６は、例えば、電池セル１１０の電池残量が予め定められた閾値よりも低い場合に、その旨を通知する通知データを無線通信部１２４に送信させる。通知データ出力部１３６は、電池セル１１０の電池残量が予め定められた閾値よりも低い場合、その旨と、位置取得部１２６が取得したバッテリ１００の位置情報とを通知する通知データを無線通信部１２４に送信させてもよい。
【００３４】
電池情報格納部１３８は、電池セル１１０の情報を格納する。電池情報格納部１３８は、電池セル１１０の特性を格納してよい。電池情報格納部１３８は、例えば、電池セル１１０の充放電特性を格納する。通知データ出力部１３６は、電池セル１１０の電池残量を無線通信部１２４に送信させる場合に、電池情報格納部１３８が格納する電池セル１１０の特性を併せて送信させてよい。
【００３５】
また、電池情報格納部１３８は、電池セル１１０の製造者に関する製造者情報を格納してもよい。また、電池情報格納部１３８は、電池セル１１０を充電可能な他の電池セルの種類を示す種類情報を格納してもよい。通知データ出力部１３６は、電池セル１１０の電池残量を無線通信部１２４に送信させる場合に、これらの情報の少なくともいずれかを併せて送信させてよい。
【００３６】
履歴格納部１４０は、通知データ出力部１３６が出力した通知データの履歴を格納する。通知データ出力部１３６は、履歴格納部１４０に格納されている通知データの履歴を無線通信部１２４に送信させてもよい。なお、履歴格納部１４０は、残量取得部１３４が取得した電池セル１１０の電池残量と、残量取得部１３４が当該電池残量を取得したときのバッテリ１００の位置情報との履歴を格納してもよい。
【００３７】
図３は、バッテリ１００を搭載した電気自動車３００の一例を概略的に示す。電気自動車３００は、駆動部３１０及びディスプレイ３２０を備える。駆動部３１０は、電池セル１１０から供給された電力によって電気自動車３００を駆動させる。
【００３８】
ディスプレイ３２０は、通知データ出力部１３６から受信した通知データに基づく表示を実行する。ディスプレイ３２０は、例えば、カーナビゲーションシステムが有するディスプレイであってよい。
【００３９】
通知データ出力部１３６は、例えば、無線通信部１２４が情報管理サーバ５００から受信した、充電可能箇所の位置を示す位置情報を含む通知データをディスプレイ３２０に送信する。ディスプレイ３２０は、受信した充電可能箇所の位置情報が示す位置を表示する。ディスプレイ３２０は、例えば、充電可能箇所の位置情報が示す位置を強調した地図データを表示する。
【００４０】
通知データ出力部１３６は、無線通信部１２４が情報管理サーバ５００から受信した、バッテリ１００に充電可能なバッテリの位置情報を含む通知データをディスプレイ３２０に送信する。通知データ出力部１３６は、例えば、次のように、バッテリ１００に充電可能なバッテリの位置情報を情報管理サーバ５００から受信する。通知データ出力部１３６は、まず、電池セル１１０の電池残量が予め定められた閾値よりも低い場合に、位置取得部１２６が取得したバッテリ１００の位置情報と、電池情報格納部１３８に格納されている電池セル１１０を充電可能な他の電池セル１１０の種類を示す種類情報とを、無線通信部１２４に、情報管理サーバ５００に対して送信させる。情報管理サーバ５００は、受信した電池セル１１０の種類が示す電池セル１１０を搭載した電気自動車のうち、受信したバッテリ１００の位置情報が示す位置により近い電気自動車の位置を示す位置情報を無線通信部１２４に送信する。通知データ出力部１３６は、無線通信部１２４が受信した電気自動車の位置情報を、バッテリ１００に充電可能なバッテリの位置情報として通知データに含めて、ディスプレイ３２０に送信する。
【００４１】
そして、ディスプレイ３２０は、例えば、受信した位置情報が示す位置を強調した地図データを表示する。これにより、電池セル１１０の電池残量が少ない場合に、電池セル１１０を充電可能な電池セル１１０を搭載している電気自動車の位置を、電気自動車３００の搭乗者に把握させることができる。
【００４２】
バッテリ１００は、自律的に移動可能な、自動運転可能な電気自動車に搭載されてもよい。また、バッテリ１００は、自律的に移動可能なロボットに搭載されてもよい。バッテリ１００は、複数のロボットのそれぞれに搭載されてよく、複数のロボットに搭載された複数のバッテリ１００のそれぞれは、それぞれの電池セル１１０の電池残量と位置情報とを情報管理サーバ５００に送信してよい。複数のバッテリ１００のそれぞれは、情報管理サーバ５００から、他のバッテリ１００の電池残量及び位置情報を受信してよい。バッテリ１００は、受信した他のバッテリ１００の電池残量が、自らの電池残量よりも少なく、位置情報が示す位置に移動可能であると判定した場合、当該位置情報該示す位置に移動して、当該他のバッテリ１００を充電してもよい。ここで、複数のバッテリ１００のうちのいずれかは、充電専用のバッテリ１００であってもよい。充電専用のバッテリ１００は、情報管理サーバ５００から、他のバッテリ１００の電池残量及び位置情報を受信して、電池残量が予め定められた閾値よりも低いバッテリ１００の位置情報が示す位置に移動して、当該バッテリ１００を充電してよい。
【００４３】
図４は、表示データ４００の一例を概略的に示す。表示データ４００は、通知データ出力部１３６が出力した通知データに基づいて生成されるデータであってよい。表示データ４００は、例えば、通知データを受信したディスプレイ３２０によって生成される。また、表示データ４００は、例えば、通知データを受信した通信端末２１０によって生成される。また、表示データ４００は、通知データ出力部１３６によって生成されて、ディスプレイ３２０及び通信端末２１０等に送信され、表示されてもよい。
【００４４】
表示データ４００は、地図データ４０２、自車オブジェクト４１０、充電スタンドオブジェクト４２０、及び対応車両オブジェクト４３０を含む。自車オブジェクト４１０は、地図データ４０２上における、位置取得部１２６によって取得されたバッテリ１００の位置に配置されている。充電スタンドオブジェクト４２０は、地図データ４０２上における、情報管理サーバ５００から受信した充電ススタンドの位置情報が示す位置に配置されている。対応車両オブジェクト４３０は、情報管理サーバ５００から受信した、電池セル１１０を充電可能な電池セル１１０を搭載している電気自動車の位置に配置されている。
【００４５】
ディスプレイ３２０又は通信端末２１０が表示データ４００を表示させることによって、閲覧者に、バッテリ１００を充電できる充電スタンドの場所と、バッテリ１００を充電できる電池セル１１０を搭載した電気自動車の位置とを容易に把握させることができる。
【００４６】
図５は、バッテリ１００の他の一例を概略的に示す。図５に示すバッテリ１００は、電池セル１１０、無線通信部１２４、位置取得部１２６、残量取得部１３４、通知データ出力部１３６、電池情報格納部１３８、及び履歴格納部１４０に加えて、車輪部１５２及び供給コネクタ１５４を備える。図５に示すバッテリ１００は、車輪部１５２によって移動可能であり、複数の供給コネクタ１５４によって、複数の他のバッテリを充電可能である。
【００４７】
バッテリ１００は、例えば、通信端末２１０から受信した指示データに従って、当該指示データが示す位置に移動する。バッテリ１００は、例えば、充電を必要とする複数のバッテリが存在する場所に移動する。バッテリ１００は、複数のバッテリに対して電力を供給しつつ、電池セル１１０の電池残量を通信端末２１０に送信する。バッテリ１００は、位置取得部１２６が取得したバッテリ１００の位置情報をさらに送信してもよい。
【００４８】
通信端末２１０の使用者は、例えば、電池セル１１０の電池残量が予め定められた閾値よりも低い場合に、通信端末２１０を用いて帰還指示をバッテリ１００に送信する。バッテリ１００は、帰還指示の受信に応じて帰還する。
【００４９】
バッテリ１００は、車輪部１５２を収納可能であってよい。例えば、バッテリ１００は、通信端末２１０から受信した指示データに従って、当該指示データが示す位置に移動した後、車輪部１５２を収納する。これにより、車輪部１５２による予期せぬ移動を防止することができ、安定的に電力を複数のバッテリに供給することができる。
【００５０】
また、バッテリ１００は、不図示のアウトリガーを備えてもよい。例えば、バッテリ１００は、通信端末２１０から受信した指示データに従って、当該指示データが示す位置に移動した後、アウトリガーによって車体を地面に固定する。これにより、車輪部１５２による予期せぬ移動を防止することができ、安定的に電力を複数のバッテリに供給することができる。
【００５１】
上記実施形態におけるバッテリ１００は、バッテリ１００の感情を管理する不図示の感情管理部をさらに備えてもよい。バッテリ１００は、例えば、バッテリ１００の電池セル１１０に充電可能な電池セルを搭載した電気自動車の位置を示す位置情報を、情報管理サーバ５００から受信する。感情管理部は、バッテリ１００と電池セル１１０に充電可能な電池セルを搭載した電気自動車との距離が遠いほど、さみしさの度合いが高くなるようにバッテリ１００の感情を管理してよい。また、感情管理部は、バッテリ１００の位置を基準とした予め定められた範囲内に存在する、電池セル１１０に充電可能な電池セルを搭載した電気自動車の数が少ないほど、さみしさの度合いが高くなるようにバッテリ１００の感情を管理してよい。通知データ出力部１３６は、感情管理部が管理するバッテリ１００のさみしさの度合いが、予め定められた閾値より高い場合、警告を示す通知データを、無線通信部１２４に送信させたり、ディスプレイ３２０に表示させたりしてよい。
【００５２】
また、バッテリ１００は、充電スタンドの位置を示す位置情報を情報管理サーバ５００から受信してよく、感情管理部は、バッテリ１００と、充電スタンドとの距離が遠いほど、さみしさの度合いが高くなるようにバッテリ１００の感情を管理してもよい。感情管理部は、バッテリ１００の位置を基準とした予め定められた範囲内に存在する、充電スタンドの数が少ないほど、さみしさの度合いが高くなるようにバッテリ１００の感情を管理してもよい。
【００５３】
図６は、バッテリ制御システム６００の一例を概略的に示す。バッテリ制御システム６００は、情報管理サーバ５００と、複数の充電ステーション６１０とを備える。情報管理サーバ５００は、バッテリ制御装置の一例であってよい。
【００５４】
充電ステーション６１０は、少なくとも１つのバッテリ１００を搭載する。充電ステーション６１０は、複数のバッテリ１００を搭載してよい。充電ステーション６１０は、車輪部６１２及び供給コネクタ６１４を有する。充電ステーション６１０は、車輪部６１２によって移動可能であり、複数の供給コネクタ６１４によって複数の他のバッテリを充電可能である。充電ステーション６１０は、自律的に移動可能なバッテリの一例であってよい。
【００５５】
充電ステーション６１０は、充電スタンド３０から電力の供給を受け付けることによって、バッテリ１００を充電可能である。充電スタンド３０は、火力発電システム及び原子力発電システム等の任意の電力システムから電力を受給してよい。例えば、充電スタンド３０は、太陽光発電システム２２及び風力発電システム２４から電力を受給する。また、充電ステーション６１０は、他の充電ステーション６１０から電力の供給を受け付けることによって、バッテリ１００を充電可能であってもよい。
【００５６】
充電ステーション６１０は、バッテリ１００を搭載した任意の装置に対して電力を供給してよい。例えば、充電ステーション６１０は、バッテリ１００を搭載したバッテリ搭載車４２及びバッテリ搭載車４４等に電力を供給する。
【００５７】
充電ステーション６１０は、例えば、バッテリ搭載車４２及びバッテリ搭載車４４等に電力を供給することによって、搭載しているバッテリ１００の電池残量が予め定められた閾値より低くなった場合に、充電スタンド３０に移動してバッテリ１００を充電してよい。電池残量６１６は、充電ステーション６１０が搭載するバッテリ１００の電池残量を模式的に表す。充電ステーション６１０は、情報管理サーバ５００の指示に従って、移動、充電、及び電力供給を実行してよい。
【００５８】
情報管理サーバ５００は、複数の充電ステーション６１０から、電池残量及び位置情報を受信して格納する。情報管理サーバ５００が、充電ステーション６１０から電池残量及び位置情報を受信するとは、充電ステーション６１０に搭載されたバッテリ１００から電池残量及び位置情報を受信することであってよい。充電ステーション６１０が複数のバッテリ１００を搭載している場合、情報管理サーバ５００は、複数のバッテリ１００のそれぞれから電池残量及び位置情報を受信してよい。また、情報管理サーバ５００は、複数のバッテリ１００のいずれかから、当該複数のバッテリ１００の電池残量及び位置情報を受信してもよい。なお、位置情報について、当該複数のバッテリ１００のうちのいずれかの位置情報のみを受信することとしてもよい。また、情報管理サーバ５００は、バッテリ搭載車４２及びバッテリ搭載車４４等の、バッテリ１００を搭載した任意の装置から、電池残量及び位置情報を受信して格納する。
【００５９】
情報管理サーバ５００は、格納した電池残量及び位置情報に基づいて、電力の需要状況を導出する。電力の需要状況は、例えば、電力の供給を必要とする位置を示す。電力の供給を必要とする位置は、例えば、電池残量が予め定められた閾値より少ないバッテリ１００の位置情報が示す位置である。
【００６０】
また、電力の供給を必要とする位置は、電力の供給を必要とするバッテリ１００の数が予め定められた閾値より大きい位置であってよい。例えば、電力の供給を必要とする位置は、予め定められた大きさの領域内に、電池残量が予め定められた閾値より少ないバッテリ１００が予め定められた数以上存在する場合の、当該領域内のいずれかの位置である。
【００６１】
また、電力の需要状況は、例えば、電力の供給が可能な位置を示す。電力の供給が可能な位置は、例えば、電池残量が予め定められた閾値より多い充電ステーション６１０の位置情報が示す位置である。
【００６２】
また、電力の供給が可能な位置は、電池残量が予め定められた閾値より多い充電ステーション６１０の数が予め定められた閾値より大きい位置であってよい。例えば、電力の供給が可能な位置は、予め定められた大きさの領域内に、電池残量が予め定められた閾値より多い充電ステーション６１０が予め定められた数以上存在する場合の、当該領域内のいずれかの位置である。
【００６３】
情報管理サーバ５００は、導出した電力の需要状況に基づいて、複数のバッテリ１００のうち、自律的に移動可能なバッテリ１００に移動指示を送信する。情報管理サーバ５００は、例えば、複数の充電ステーション６１０のうちのいずれかの充電ステーション６１０に移動指示を送信する。情報管理サーバ５００が充電ステーション６１０に移動指示を送信するとは、充電ステーション６１０が搭載するいずれかのバッテリ１００に移動指示を送信することであってよい。情報管理サーバ５００は、例えば、複数の充電ステーション６１０のうち、電池残量が予め定められた閾値より多く、他の充電ステーション６１０よりも、電力の供給を必要とする位置の近くに位置する充電ステーション６１０に、当該電力の供給を必要とする位置に移動する移動指示を送信する。
【００６４】
また、情報管理サーバ５００は、例えば、自律的に移動可能なバッテリ１００のうち、電池残量が予め定められた閾値より少ないバッテリ１００に、電力の供給が可能な位置に移動する移動指示を送信する。例えば、情報管理サーバ５００は、バッテリ搭載車４２のバッテリ１００の電池残量が予め定められた閾値より少ない場合に、当該バッテリ１００に、電力の供給が可能な位置に移動する移動指示を送信する。
【００６５】
情報管理サーバ５００は、充電ステーション６１０が搭載するバッテリ１００の電池セルの劣化度合に応じて、当該充電ステーション６１０に移動指示を送信してもよい。情報管理サーバ５００は、例えば、充電ステーション６１０の移動距離に対する電池残量の減少度合に基づいて、電池セルの劣化度合を判定する。具体例として、情報管理サーバ５００は、第１の位置における充電ステーション６１０の電池残量と、第２の位置における充電ステーション６１０の電池残量との差分を、第１の位置から第２の位置への移動距離で除算した値が、予め定められた閾値より高い場合、充電ステーション６１０が搭載するバッテリ１００の交換が必要と判定する。情報管理サーバ５００は、交換が必要と判定した充電ステーション６１０に、バッテリ１００又は電池セルを交換可能な交換ステーションへ移動する移動指示を送信してよい。当該移動指示には、交換ステーションの位置情報が含まれてよい。
【００６６】
図７は、情報管理サーバ５００の機能構成の一例を概略的に示す。情報管理サーバ５００は、バッテリ情報受信部５０２、バッテリ情報格納部５０４、需要状況導出部５０６、移動指示送信部５０８、および劣化度合導出部５１０を有する。なお、情報管理サーバ５００がこれらのすべての構成を有することは必須とは限らない。
【００６７】
バッテリ情報受信部５０２は、複数のバッテリ１００のそれぞれから、電池残量及び位置情報を受信する。バッテリ情報受信部５０２は、電池残量及び位置情報を定期的に受信してよい。バッテリ情報格納部５０４は、バッテリ情報受信部５０２が受信した電池残量及び位置情報を格納する。
【００６８】
需要状況導出部５０６は、バッテリ情報格納部５０４に格納されている電池残量及び位置情報に基づいて、電力の需要状況を導出する。移動指示送信部５０８は、需要状況導出部５０６が導出した電力の需要状況に基づいて、バッテリ１００に移動指示を送信する。移動指示送信部５０８は、複数のバッテリ１００のうち、自律的に移動可能な１００に移動指示を送信してよい。例えば、移動指示送信部５０８は、充電ステーション６１０が搭載するバッテリ１００に移動指示を送信する。
【００６９】
劣化度合導出部５１０は、バッテリ１００の劣化度合を導出する。バッテリ１００の劣化度合は、バッテリ１００の電池セルの劣化度合であってよい。劣化度合導出部５１０は、バッテリ１００の電池セルの電力を用いて移動するバッテリ１００の第１の位置における電池残量及び第２の位置における電池残量に基づいて、バッテリ１００の劣化度合を導出する。移動指示送信部５０８は、劣化度合導出部５１０によって導出された劣化度合が予め定められた閾値より高いバッテリ１００に、交換ステーションへ移動する移動指示を送信してよい。
【００７０】
図８は、バッテリ制御システム７００の一例を概略的に示す。バッテリ制御システム７００は、情報管理サーバ５００と、複数の充電ステーション７１０とを備える。充電ステーション７１０は、充電ステーション６１０と同一の構成を有してよい。
【００７１】
複数の充電ステーション７１０は、規格電圧の異なる充電ステーション７１０を含む。例えば、複数の充電ステーション７１０は、原子力発電所５０に給電可能な規格電圧の充電ステーション、超高圧変電所５２に給電可能な規格電圧の充電ステーション、一次変電所５４に給電可能な規格電圧の充電ステーション、中間変電所５６に給電可能な規格電圧の充電ステーション、及び配電用変電所５８に給電可能な規格電圧の充電ステーションを含む。
【００７２】
原子力発電所５０に給電可能な充電ステーション７１０は、原子力発電所５０に電力を供給するべく、原子力発電所５０の充電用プラグ５１と連結する電力供給プラグ７１２を有する。超高圧変電所５２に給電可能な充電ステーション７１０は、超高圧変電所５２に電力を供給するべく、超高圧変電所５２の充電用プラグ５３と連結する電力供給プラグ７１２を有する。一次変電所５４に給電可能な充電ステーション７１０は、一次変電所５４に電力を供給するべく、一次変電所５４の充電用プラグ５５と連結する電力供給プラグ７１２を有する。中間変電所５６に給電可能な充電ステーション７１０は、中間変電所５６に電力を供給するべく、中間変電所５６の充電用プラグ５７と連結する電力供給プラグ７１２を有する。配電用変電所５８に給電可能な充電ステーション７１０は、配電用変電所５８に電力を供給するべく、配電用変電所５８の充電用プラグ５９と連結する電力供給プラグ７１２を有する。
【００７３】
超高圧変電所５２、一次変電所５４、中間変電所５６、及び配電用変電所５８を含む電力網は、原子力発電所５０及び太陽光発電システム２２等で発電された電力を階層的に供給することができるが、階層の途中で障害が発生すると、障害が発生した階層以下の階層への電力供給が停止してしまう場合がある。例えば、超高圧変電所５２から一次変電所５４までの間で発生した障害によって、一次変電所５４への電力供給が遮断された場合、原子力発電所５０、太陽光発電システム２２、及び超高圧変電所５２が稼働しており、一次変電所５４が稼働可能であっても、中間変電所５６及び配電用変電所５８と、それ以下の階層への電力供給が停止してしまう。
【００７４】
本実施形態に係る情報管理サーバ５００は、電力網内に障害が発生した場合に、障害の発生により電力供給が遮断された変電所の位置を取得し、当該変電所に対して電力供給可能な充電ステーション７１０に、当該変電所への移動指示を送信する。障害の発生により電力供給が遮断された変電所に対して電力供給可能な充電ステーション７１０とは、当該変電所と規格電圧が一致する充電ステーション７１０であってよい。変電所の規格電圧と充電ステーション７１０の規格電圧とが一致しない場合、充電ステーション７１０から変電所へ給電することができないが、本実施形態に係る情報管理サーバ５００によれば、障害が発生した変電所と規格電圧が一致する充電ステーション７１０を、電力供給が遮断された変電所に移動させることができるので、充電ステーション７１０から変電所への給電を実現できる。そして、これにより、一次変電所５４以下の階層への電力供給を再開させることができる。
【００７５】
情報管理サーバ５００は、充電ステーション７１０を、太陽光発電システム２２又は原子力発電所５０によって発電された電力を用いた充電を実現する充電スタンド３０の位置に移動させて充電させ、その後、電力供給が遮断された変電所の位置に移動させてよい。これにより、電力網の一部を充電ステーション７１０に担わせることができ、障害発生時の電力網の一時的な再開に寄与することができる。
【００７６】
充電ステーション７１０は、他の充電ステーション７１０と連結するコネクタをさらに備えてもよい。情報管理サーバ５００は、複数の充電ステーション７１０のうち、他の充電ステーション７１０と連結することによって、電力供給が遮断された変電所の規格電圧の電力を供給可能な複数の充電ステーション７１０に、当該変電所の位置に移動する移動指示を送信してよい。これにより、例えば、電力供給が遮断された変電所の近傍に当該変電所に電力供給可能な充電ステーション７１０が存在しない場合に、当該変電所の規格電圧よりも低い規格電圧の充電ステーション７１０を複数台、当該変電所に移動させて、連結させることによって、当該変電所への給電を可能とすることができる。
【００７７】
充電ステーション７１０は、放射線を測定する機能を有してもよい。放射線を測定する機能は、充電ステーション７１０が有しても、充電ステーション７１０が搭載するバッテリ１００が有してもよい。情報管理サーバ５００は、充電ステーション７１０のバッテリ１００から、測定された放射線の量と、放射線を測定したときの位置を示す位置情報とを受信してよい。情報管理サーバ５００は、受信した放射線の量及び位置情報を通信端末２１０等の他の装置に送信してよい。これにより、充電ステーション７１０による電力網の代替を実現しつつ、変電所及び発電所の放射線の情報を収集し、提供することを可能とする。
【００７８】
図９は、情報管理サーバ５００の機能構成の一例を概略的に示す。情報管理サーバ５００は、バッテリ情報受信部５０２、バッテリ情報格納部５０４、移動指示送信部５０８、変電所位置取得部５１２、規格電圧取得部５１４、及び放射線情報送信部５１６を有する。なお、情報管理サーバ５００がこれらのすべての構成を有することは必須とは限らない。また、情報管理サーバ５００は、他の機能をさらに備えてもよい。例えば、情報管理サーバ５００は、需要状況導出部５０６及び劣化度合導出部５１０の少なくともいずれかをさらに備えてもよい。
【００７９】
バッテリ情報受信部５０２は、複数のバッテリ１００のそれぞれから、電池残量及び位置情報を受信する。バッテリ情報受信部５０２は、電池残量及び位置情報を定期的に受信してよい。バッテリ情報格納部５０４は、バッテリ情報受信部５０２が受信した電池残量及び位置情報を格納する。バッテリ情報受信部５０２は、複数のバッテリ１００のそれぞれから、測定した放射線の量と、放射線を測定した時の位置を示す位置情報とを受信してもよい。バッテリ情報格納部５０４は、バッテリ情報受信部５０２が受信した放射線の量と位置情報とを格納してよい。
【００８０】
変電所位置取得部５１２は、変電所の位置を取得する。変電所位置取得部５１２は、例えば、障害の発生により電力の供給が遮断された変電所の位置を取得する。変電所位置取得部５１２は、ネットワーク１０を介して、変電所の位置を受信してよい。例えば、変電所位置取得部５１２は、ネットワーク１０に接続された、変電所の状態を管理する変電所管理サーバから、障害の発生により電力の供給が遮断された変電所の位置及び当該変電所の識別情報を受信する。
【００８１】
規格電圧取得部５１４は、変電所位置取得部５１２がその位置を取得した変電所の規格電圧を取得する。規格電圧取得部５１４は、ネットワーク１０を介して、規格電圧を受信してよい。例えば、規格電圧取得部５１４は、変電所管理サーバから規格電圧を受信する。また、規格電圧取得部５１４は、複数の変電所のそれぞれの識別情報に対応付けて、それぞれの規格電圧の情報を予め格納しておき、変電所管理サーバから受信した変電所の識別情報に対応する規格電圧を読み出してもよい。
【００８２】
移動指示送信部５０８は、複数の充電ステーション７１０のうち、変電所位置取得部５１２がその位置を取得した変電所に対して電力供給可能な充電ステーション７１０に、変電所位置取得部５１２が取得した位置への移動指示を送信してよい。移動指示送信部５０８は、複数の充電ステーション７１０のうち、規格電圧が、規格電圧取得部５１４が取得した規格電圧に一致する充電ステーション７１０に、変電所位置取得部５１２が取得した位置への移動指示を送信してよい。
【００８３】
移動指示送信部５０８は、複数の充電ステーション７１０のうち、規格電圧が、規格電圧取得部５１４が取得した規格電圧に一致する充電ステーション７１０のうち、他の充電ステーション７１０よりも、変電所位置取得部５１２が取得した位置に近い充電ステーション７１０に移動指示を送信してもよい。また、移動指示送信部５０８は、規格電圧が、規格電圧取得部５１４が取得した規格電圧に一致する充電ステーション７１０の、現在位置から、変電所位置取得部５１２が取得した位置までの経路情報を、例えば、ネットワーク１０を介して受信して、変電所位置取得部５１２が取得した位置に到達可能な充電ステーション７１０を判定し、当該充電ステーション７１０に対して移動指示を送信してもよい。例えば、地震などの災害が発生した場合、変電所位置取得部５１２が取得した位置の近傍に位置する充電ステーション７１０であっても、道路の状況によって、変電所位置取得部５１２が取得した位置に移動できない場合がある。それに対して、本実施形態によれば、情報管理サーバ５００によって、各充電ステーション７１０から、変電所位置取得部５１２が取得した位置までの経路情報が確認されるので、変電所位置取得部５１２が取得した位置に到達する可能性がより高い充電ステーション７１０に対して移動指示を送信することができる。
【００８４】
放射線情報送信部５１６は、バッテリ情報格納部５０４に格納されている放射線の量と、当該放射線が測定された位置を示す位置情報とを、通信端末２１０等の他の装置に送信する。
【００８５】
図１０は、情報管理サーバ５００として機能するコンピュータ１０００の一例を概略的に示す。本実施形態に係るコンピュータ１０００は、ホストコントローラ１０９２により相互に接続されるＣＰＵ１０１０、ＲＡＭ１０３０、及びグラフィックコントローラ１０８５を有するＣＰＵ周辺部と、入出力コントローラ１０９４によりホストコントローラ１０９２に接続される通信Ｉ／Ｆ１０４０、ハードディスクドライブ１０５０、及びＤＶＤドライブ１０７０を有する入出力部と、入出力コントローラ１０９４に接続されるＲＯＭ１０２０、ＦＤドライブ１０６０、及び入出力チップ１０８０を有するレガシー入出力部とを備える。
【００８６】
ＣＰＵ１０１０は、ＲＯＭ１０２０及びＲＡＭ１０３０に格納されたプログラムに基づいて動作し、各部の制御を行う。グラフィックコントローラ１０８５は、ＣＰＵ１０１０などがＲＡＭ１０３０内に設けたフレーム・バッファ上に生成する画像データを取得し、ディスプレイ１０９０上に表示させる。これに代えて、グラフィックコントローラ１０８５は、ＣＰＵ１０１０などが生成する画像データを格納するフレーム・バッファを、内部に含んでもよい。
【００８７】
通信Ｉ／Ｆ１０４０は、有線又は無線によりネットワークを介して他の装置と通信する。また、通信Ｉ／Ｆ１０４０は、通信を行うハードウエアとして機能する。ハードディスクドライブ１０５０は、ＣＰＵ１０１０が使用するプログラム及びデータを格納する。ＤＶＤドライブ１０７０は、ＤＶＤ−ＲＯＭ１０７２からプログラム又はデータを読み取り、ＲＡＭ１０３０を介してハードディスクドライブ１０５０に提供する。
【００８８】
ＲＯＭ１０２０は、コンピュータ１０００が起動時に実行するブート・プログラム、及びコンピュータ１０００のハードウエアに依存するプログラムなどを格納する。ＦＤドライブ１０６０は、フレキシブルディスク１０６２からプログラム又はデータを読み取り、ＲＡＭ１０３０を介してハードディスクドライブ１０５０に提供する。入出力チップ１０８０は、ＦＤドライブ１０６０を入出力コントローラ１０９４へと接続するとともに、例えばパラレル・ポート、シリアル・ポート、キーボード・ポート、マウス・ポートなどを介して各種の入出力装置を入出力コントローラ１０９４へと接続する。
【００８９】
ＲＡＭ１０３０を介してハードディスクドライブ１０５０に提供されるプログラムは、フレキシブルディスク１０６２、ＤＶＤ−ＲＯＭ１０７２、又はＩＣカードなどの記録媒体に格納されて利用者によって提供される。プログラムは、記録媒体から読み出され、ＲＡＭ１０３０を介してハードディスクドライブ１０５０にインストールされ、ＣＰＵ１０１０において実行される。
【００９０】
コンピュータ１０００にインストールされ、コンピュータ１０００を情報管理サーバ５００として機能させるプログラムは、ＣＰＵ１０１０などに働きかけて、コンピュータ１０００を、情報管理サーバ５００の各部としてそれぞれ機能させてよい。これらのプログラムに記述された情報処理は、コンピュータ１０００に読込まれることにより、ソフトウエアと上述した各種のハードウエア資源とが協働した具体的手段であるバッテリ情報受信部５０２、バッテリ情報格納部５０４、需要状況導出部５０６、移動指示送信部５０８、劣化度合導出部５１０、変電所位置取得部５１２、規格電圧取得部５１４、及び放射線情報送信部５１６として機能する。そして、これらの具体的手段によって、本実施形態におけるコンピュータ１０００の使用目的に応じた情報の演算又は加工を実現することにより、使用目的に応じた特有の情報管理サーバ５００が構築される。
【００９１】
以上の説明において、通信ユニット１２０の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、通信ユニット１２０として機能してもよい。プログラムは、コンピュータ読み取り可能な媒体又はネットワークに接続された記憶装置から、通信ユニット１２０の少なくとも一部を構成するコンピュータにインストールされてよい。
【００９２】
コンピュータにインストールされ、コンピュータを本実施形態に係る通信ユニット１２０として機能させるプログラムは、ＣＰＵ等に働きかけて、コンピュータを、通信ユニット１２０の各部としてそれぞれ機能させる。これらのプログラムに記述された情報処理は、コンピュータに読込まれることにより、ソフトウエアと通信ユニット１２０のハードウエア資源とが協働した具体的手段として機能する。
【００９３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９４】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００９５】
１０  ネットワーク、２２  太陽光発電システム、２４  風力発電システム、３０  充電スタンド、４２  バッテリ搭載車、４４  バッテリ搭載車、５０  原子力発電所、５１  充電用プラグ、５２  超高圧変電所、５３  充電用プラグ、５４  一次変電所、５５  充電用プラグ、５６  中間変電所、５７  充電用プラグ、５８  配電用変電所、５９  充電用プラグ、１００  バッテリ、１１０  電池セル、１２０  通信ユニット、１２２  コネクタ部、１２４  無線通信部、１２６  位置取得部、１３４  残量取得部、１３６  通知データ出力部、１３８  電池情報格納部、１４０  履歴格納部、１５２  車輪部、１５４  供給コネクタ、２１０  通信端末、３００  電気自動車、３１０  駆動部、３２０  ディスプレイ、４００  表示データ、４０２  地図データ、４１０  自車オブジェクト、４２０  充電スタンドオブジェクト、４３０  対応車両オブジェクト、５００  情報管理サーバ、５０２  バッテリ情報受信部、５０４  バッテリ情報格納部、５０６  需要状況導出部、５０８  移動指示送信部、５１０  劣化度合導出部、５１２  変電所位置取得部、５１４  規格電圧取得部、５１６  放射線情報送信部、６００  バッテリ制御システム、６１０  充電ステーション、６１２  車輪部、６１４  供給コネクタ、６１６  電池残量、７００  バッテリ制御システム、７１０  充電ステーション、７１２  電力供給プラグ、１０００  コンピュータ、１０１０  ＣＰＵ、１０２０  ＲＯＭ、１０３０  ＲＡＭ、１０４０  通信Ｉ／Ｆ、１０５０  ハードディスクドライブ、１０６０  ＦＤドライブ、１０６２  フレキシブルディスク、１０７０  ＤＶＤドライブ、１０７２  ＤＶＤ−ＲＯＭ、１０８０  入出力チップ、１０８５  グラフィックコントローラ、１０９０  ディスプレイ、１０９２  ホストコントローラ、１０９４  入出力コントローラ
【要約】
【課題】電気自動車等に搭載されるバッテリについて、利便性の高いバッテリを提供できることが望ましい。
【解決手段】筐体に内蔵された電池セルと、ＳＩＭを着脱可能に保持するコネクタ部と、位置を取得する位置取得部と、ＳＩＭに記録されている情報を用いた無線通信により、電池セルの電池残量と、位置を示す位置情報とを送信する無線通信部とを有するバッテリと、バッテリから、電池残量及び位置情報を受信するバッテリ情報受信部と、複数のバッテリの電池残量及び位置に基づいて、電力の需要状況を導出する需要状況導出部と、需要状況に基づいて、複数のバッテリのうち、自律的に移動可能なバッテリに移動指示を送信する移動指示送信部とを有するバッテリ制御装置とを備える、バッテリ制御システムを提供する。
【選択図】図６【図１】
0006050909.tif 000002
【図２】
0006050909.tif 000003
【図３】
0006050909.tif 000004
【図４】
0006050909.tif 000005
【図７】
0006050909.tif 000006
【図９】
0006050909.tif 000007
【図１０】
0006050909.tif 000008
【図５】
0006050909.tif 000009
【図６】
0006050909.tif 000010
【図８】
0006050909.tif 000011